(57)【要約】    【課題】尻栓の脱落が防止され、且つ操作性が向上された釣竿の提供。    【解決手段】この釣竿１０は、釣竿本体１１と、尻栓１２と、グリップ１３とを備えている。グリップ１３は、釣竿本体１１の元節１８の後端部に嵌め込まれている。グリップ１３は、ゴムからなり、釣人が指を掛けやすい形状となっている。元節１８の後端に尻栓１２が嵌め込めれている。尻栓１２は、フレーム２５を介して元節１８に取り付けられている。フレーム２５は、樹脂から構成され、尻栓１２は、フレーム２５にねじ込まれている。グリップ１３の後端部４２は、元節１８の後端より後方に突出している。当該後端部４２は、尻栓１２を取り囲む。グリップ１３は、尻栓保持部４３を備えている。当該尻栓保持部４３は、尻栓１２の端面３９の周縁部を取り囲んで保持する。【選択図】図２
2005269991.tif 000002
【特許請求の範囲】
【請求項１】
釣竿本体と、
釣竿本体の後端に嵌め込まれた尻栓と、
釣竿本体の後端部に外嵌された筒状のグリップとを有し、
当該グリップは、上記尻栓の周面を囲繞する尻栓収容部を備えている釣竿。
【請求項２】
上記グリップは、上記尻栓収容部に連続して上記尻栓の後端面周縁部を囲繞する尻栓保持部を備えている請求項１に記載の釣竿。
【請求項３】
上記グリップは、ゴム又は可撓性を有する樹脂からなる請求項１又は２に記載の釣竿。
【発明の詳細な説明】
【技術分野】
【０００１】
本発明は、釣竿の構造に関するものである。
【背景技術】
【０００２】
釣竿は、一般に細長筒状に形成されており、その後端に尻栓が装着されている。釣竿のメンテナンスが容易になされるために、この尻栓は、釣竿に着脱自在に設けられている。尻栓は、通常釣竿にねじ込まれているが、そのために、実釣時に釣竿と尻栓との螺合が緩み、尻栓が脱落するおそれがある。この問題が解決されるため、従来から種々の手段が採用されているところである。
【０００３】
図６は、従来の釣竿の後端部の断面図であり、尻栓の脱落を防止するための一つの手段が示されている（例えば、特許文献１参照）。同図が示すように、釣竿１の後端部にグリップ２が設けられている。このグリップ２は、ゴム等の可撓性材料から構成され、筒状に形成されている。グリップ２の後端部は、釣竿１の後端面３を覆っている。尻栓４は、釣竿１の後端部の内側に嵌め込まれており、グリップ２の後端部５は、尻栓４と釣竿１との間に挟み込まれている。このように、尻栓４が釣竿１にねじ込まれると、尻栓４がグリップ２の後端部５を押圧し、当該後端部５が弾性変形するので、その反発力によって尻栓４の緩みが防止されている。
【０００４】
【特許文献１】実開昭６１−１００９７８号公報
【発明の開示】
【発明が解決しようとする課題】
【０００５】
尻栓の脱落防止対策が講じられた釣竿は、他にも種々存在するが、本発明は、より確実に尻栓の脱落を防止することができ、操作性が向上された釣竿を提供することを目的とするものである。
【課題を解決するための手段】
【０００６】
(1) 上記目的が達成されるため本発明に係る釣竿は、釣竿本体と、釣竿本体の後端に嵌め込まれた尻栓と、釣竿本体の後端部に外嵌された筒状のグリップとを有し、当該グリップは、上記尻栓の周面を囲繞する尻栓収容部を備えていることを特徴とするものである。
【０００７】
この構成によれば、グリップが釣竿本体に嵌め込まれることによって、釣竿本体に嵌め込めれた尻栓は、グリップの尻栓収容部に収容される。しかも、尻栓収容部は、尻栓の周面を囲繞する。したがって、尻栓の周面は、実釣時に釣人の身体等と接触することがない。
【０００８】
(2) 上記グリップは、上記尻栓収容部に連続して上記尻栓の後端面周縁部を囲繞する尻栓保持部をさらに備えているのが好ましい。この構成では、上記尻栓の周面が尻栓収容部によって囲繞されると共に尻栓の後端面周縁部が尻栓保持部によって囲繞される。したがって、尻栓はより確実にグリップによって保護され、実釣時において尻栓と釣人の身体等との接触がより確実に回避される。
【０００９】
さらに、上記グリップは、ゴム又は可撓性を有する樹脂から構成されているのが好ましい。この構成では、グリップが可撓性を有するから、グリップが釣竿本体に嵌め込まれた後であっても、尻栓は容易に釣竿本体に嵌め込まれる。  
【発明の効果】
【００１０】
本発明によれば、尻栓の周面が外部と接触することが確実に回避されるので、尻栓と釣竿本体との嵌合が解除される要因が排除される。したがって、尻栓が釣竿本体から外れてしまうことがなく、尻栓の釣竿本体からの脱落が確実に防止される。しかも、この尻栓の保護はグリップによってなされるから、グリップの外形形状が適当に設計されることによって、釣人にとって把持し易く且つ尻栓の脱落も防止される釣竿が提供されるという利点がある。
【発明を実施するための最良の形態】
【００１１】
以下、適宜図面が参照されつつ、好ましい実施形態に基づいて本発明が詳細に説明される。
【００１２】
図１は、本発明の一実施形態に係る釣竿の正面図である。
この釣竿１０は、いわゆるインナーガイドタイプの振出式釣竿である。釣竿１０は、釣竿本体１１と、釣竿本体１１に設けられた尻栓１２及びグリップ１３とを備えている。グリップ１３は、実釣時に釣人が釣竿１０を把持する部分である。
【００１３】
釣竿本体１１は、５つの筒状部材１４〜１８から構成されている。各筒状部材１４〜１８は、それぞれ「節」と称され、釣竿本体１１の先端側から順に第１番節１４、第２番節１５と称される。第４番節１７は、特に「元上節」と称され、第５番節１８は、特に「元節」と称されることがある。各節１４〜１８は、既知の要領で構成される。例えば、シート状に形成されたカーボン繊維強化樹脂（カーボンプリプレグ）が所定形状に裁断され、これが筒状に巻回されることによって、円筒状の節１４〜１８が形成される。
【００１４】
この釣竿１０では、第４番節１６（すなわち元上節１６）が第５番節１７（すなわち元節１７）に対して伸縮するズーム機構を搭載している。このズーム機構が作動されると、実釣中に釣竿１０の定格長さが変化される。もっともこのズーム機構は任意的なものであって、当該機構は省略される場合もある。
【００１５】
第１番節１４は第２番節１５の内部に引き出し自在に収容されている。また、第１番節１４の先端には、釣糸が導き出されるトップガイド１９が設けられている。第１番節１４はテーパ状に形成されており、先端部の外径よりも後端部の外径の方が大きくなるように形成されている。そして、第１番節１４の後端径は、第２番節１５の先端径よりも大きく設定されており、第１番節１４が第２番節１５から引き出された際に、第１番節１４の後端部分が第２番節１５の先端部分とかみ合って両者が固定されるようになっている。なお、第２番節１５と第３番節１６との関係及び第３番節１６と元上節１７との関係も同様である。また、第２番節１５ないし元節１８の先端部には、当該部分の剛性を向上させ、隣り合う節のかみ合いを確実なものとするために、リングＲ１〜Ｒ４が装着されている。
【００１６】
第４番節１７の先端部分には図示しない釣糸導入孔が設けられており、この釣糸導入孔に釣糸を導くための導入ガイド２０が取り付けれている。なお、上記トップガイド１９及び導入ガイド２０は、既知の構成であるので、その詳しい説明は省略される。
【００１７】
元節１８には、リールシート２１が一体的に形成されている。このリールシート２１は、釣用リール（図示せず）を着脱自在に保持するためのものである。リールシート２１は、釣用リールの脚部の一方を収容保持するフード２２と、脚部の他方を収容保持する可動フード２３とを備えている。可動フード２３は、釣用リールを載置する載置面２４に沿って図中左右にスライド可能となっている。そして、可動フード２３が図中左右にスライドすることにより、可動フード２３とフード２２との間で、リール脚部を挟持して固定することができるようになっている。なお、かかるリールシート２１の構造についても既知であるので、その詳しい説明は省略される。
【００１８】
図２は、釣竿１０の要部拡大正面図であり、釣竿１０の後端部の構造が詳細に図示されている。また、図３は、図２におけるIII−III矢視図である。これらの図が示すように、元節１８の後端に尻栓１３が嵌め込まれている。元節１８は、前述のように筒状に形成されており、尻栓１３は、元節１８の後端に形成された開口を塞ぐものである。ただし、本実施形態では、尻栓１３は、フレーム２５を介して元節１８に取り付けられている。
【００１９】
図４は、フレーム２５の一部断面斜視図である。なお、同図には、フレーム２５に嵌め込まれる元節１７及び尻栓１３も図示されている。
【００２０】
図２及び図４が示すように、フレーム２５は、例えば樹脂や金属により構成され、円筒状に形成されている。フレーム２５は、大径部２６及び小径部２７を備えており、これらは一体的に形成されている。このため、大径部２６と小径部２７との間には、段部２８が形成されている。大径部２６の外径寸法は、元節１８の内径寸法に対応されており、大径部２６は、隙間無く元節１８の後端部内側に嵌め込まれている（図２参照）。両者は、接着剤等により固着されているのが好ましい。
【００２１】
この大径部２６の内周面には、案内リブ２９が立設されている。本実施形態では、この案内リブ２９は、大径部２６の内側に４枚設けられており、周方向に均等に配置されている。なお、案内リブ２９の数量は、何ら限定されるものではない。案内リブ２９は、上記ズーム機構の一部を構成するものであって、元節１８に対して元上節１７が収納されたときに、元上節１７の後端部を保持するものである。そのため、案内リブ２９は、元上節１７を案内する傾斜面３０を有している。
【００２２】
案内リブ２９の後方には、元上節１７の後端部を収容する収容部３１が形成されている。この収容部３１の内壁面は、上記傾斜面３０と連続している。この収容部３１は、その内径寸法が元上節１７の後端部の外径寸法に対応されており、元上節１７は、収容部３１内に隙間無く嵌め込まれ、保持されるようになっている。
【００２３】
さらに、この収容部３１の後端は、その内径が小さくなるように縮径されている。したがって、収容部３１の後端部には段部３２が形成されており、この段部３２は、元上節１７が収容部３１に嵌め込まれたときに、当該元上節１７の後端の位置を決定する。
【００２４】
小径部２７は、その内周面に雌ねじ３３が形成されている。後に詳述されるが、上記尻栓１３は、この雌ねじ３３に螺合されるようになっている。
【００２５】
図２が示すように、このフレーム２５は、大径部２６が元節１７の後端から寸法ｄだけ突出するように配置されている。この寸法ｄは、例えば０．５ｍｍ〜３．０ｍｍに設定される。このようにフレーム２５が配置されることによって、元節１７の後端とフレーム２５の大径部２６との境界部分にも段部３４が形成される。
【００２６】
図４が示すように、尻栓１２は、樹脂又は金属から構成され、円柱状に形成されている。尻栓１２は、軸部３５と頭部３６とを備えている。軸部３５の外径寸法は、上記フレーム２５の小径部２７の内径寸法に対応されている。軸部３５の外周面には雄ねじ３７が形成されている。軸部３５と頭部３６との境界部分には、Ｏリング３８が嵌め込まれている。
【００２７】
図５は、釣竿１０の要部拡大分解斜視図であり、釣竿１０の後端部の構造が図示されている。尻栓１２は、軸部３５が上記小径部２７にねじ込まれることによって、フレーム２５に取り付けられる。つまり、元節１８の後端に嵌め込まれる。図３及び図５が示すように、尻栓１２の頭部３６の端面３９には、細長の溝４０が設けられている。この溝４０には、ドライバーやコイン等が嵌め込まれるようになっている。釣人は、例えばコインを溝４０に嵌め込むことによって、尻栓１２を容易に元節１８に嵌め込むことができる。なお、上記Ｏリング３８が設けられているので、尻栓１２が元節１８に嵌め込まれたときは、両者間の防水が実現される。
【００２８】
図２及び図５が示すように、グリップ１３は、元節１８の後端部を覆うように当該元節１８に取り付けられている。すなわち、グリップ１３は、筒状に形成されており、元節１８の後端部に外嵌されている。グリップ１３の材質は、本実施形態ではゴムが採用されている。グリップ１３がゴムにより構成されることによって、釣人にとって、グリップ１３の握り心地が良く、また手の滑りも少ない。ただし、グリップ１３の材質は特に限定されるものではなく、可撓性を有する樹脂が採用されてもよい。グリップ１３の外径形状も特に限定されるものではないが、本実施形態では、指掛部４１が複数設けられている。これにより、釣人は、グリップ１３を握った際に指を指掛部４１に引っ掛けることができ、グリップ１３の握り心地が一層良くなる。
【００２９】
図２が示すように、グリップ１３の後端部４２（尻栓収容部）は、元節１８の後端からさらに後方へ突出している。この後端部４２は、元節１８に嵌め込まれた上記フレーム２５を囲繞する。前述のように、尻栓２５は、フレーム２５に嵌め込まれるから、尻栓１２は、少なくともその周面がグリップ１３の後端部４２によって囲繞される。また、本実施形態では、この後端部４２の内壁面には段部が形成されており、この段部は、上記元節１８とフレーム２５との間に形成された段部３４及び上記フレーム２５の大径部２６と小径部２７との間に形成された段部２８と嵌合している。これにより、グリップ１３は、確実に上記フレーム２５を囲繞することができる。なお、グリップ１３がゴム等の可撓性を有する材料から構成される場合には、上記グリップ１３の段部は省略されていてもよい。
【００３０】
グリップ１３の後端部４２の端部には、尻栓保持部４３が一体的に形成されている。この尻栓保持部４３は、円環状に形成されており、グリップ１３の径方向内側に延設されている。すなわち、尻栓保持部４３は、断面が略Ｌ字状の鍵形に形成されている。尻栓保持部４３は、尻栓１２が元節１８に嵌め込まれた状態で、尻栓１２の上記端面３９（図３参照）の周縁部を囲繞する。これにより、尻栓１２は、後端部４２によって周面が囲繞されると共に端面３９が支持され、その結果、尻栓１２は、元節１８の後端部に確実に保持されることになる。
【００３１】
本実施形態に係る釣竿１０では、グリップ１３が元節１８に嵌め込まれることによって、元節１８の後端に嵌め込まれた尻栓１２は、グリップ１３の後端部４２に収容される。しかも、当該後端部４２は、上記フレーム２５を介して尻栓１２を囲繞する。したがって、尻栓１２の周面は、実釣時に釣人の身体等と接触することがなく、尻栓１２と元節１８との嵌合が解除される要因が排除される。しかも、この尻栓１２は、グリップ１３によって囲繞され保護されるから、グリップ１３が尻栓１２の脱落防止部材として機能する。その結果、この釣竿１０は、釣人にとって把持し易く且つ尻栓１２の脱落も確実に防止するものとなる。
【００３２】
また、本実施形態では、グリップ１３は、上記尻栓保持部４３を備えており、尻栓１２は、その端面３９の周縁部が保持される。したがって、尻栓１２はより確実にグリップ１３によって保護され、実釣時において尻栓と釣人の身体等との接触がより確実に回避される。つまり、尻栓１２の釣竿本体１１からの脱落が一層確実に防止される。
【００３３】
さらに、グリップ１３は、ゴム等の可撓性材料から構成されるので、容易に弾性変形が可能である。したがって、グリップ１３が元節１８に嵌め込まれた後であっても、尻栓１２は容易に元節１８に取り付けられ、また取り外されるという利点がある。
【００３４】
なお、本実施形態では、釣竿１０がズーム機構を有し、元節１８の後端部に上記フレーム２５が嵌め込まれているが、ズーム機構を備えない釣竿等では、上記フレーム２５が省略されていてもよい。上記フレーム２５が省略される場合には、元節１８の後端部の内側に雌ねじが形成され、この部分に尻栓１２が直接ねじ込まれる。その場合、グリップ１３の後端部４２の内壁面形状は、尻栓１２の周面に隙間無く当接するように形成される。これにより、元節１８の後端に嵌め込まれた尻栓１２は、グリップ１３の後端部４２に収容され、上記と同様に釣竿本体１１からの脱落が防止される。
【産業上の利用可能性】
【００３５】
本発明は、釣竿一般に適用され得る。
【図面の簡単な説明】
【００３６】
【図１】図１は、本発明の一実施形態に係る釣竿の正面図である。
【図２】図２は、本発明の一実施形態に係る釣竿の要部拡大正面図である。
【図３】図３は、図２におけるIII−III矢視図である。
【図４】図４は、本発明の一実施形態に係る釣竿のフレームの一部断面斜視図である。
【図５】図５は、本発明の一実施形態に係る釣竿の要部拡大分解斜視図である。
【図６】図６は、従来の釣竿の後端部の断面図である。
【符号の説明】
【００３７】
１０・・・釣竿
１１・・・釣竿本体
１２・・・尻栓
１３・・・グリップ
１８・・・元節
２５・・・フレーム
２６・・・大径部
２７・・・小径部
２８・・・段部
２９・・・案内リブ
３０・・・傾斜面  
３１・・・収容部
３２・・・段部
３３・・・雌ねじ
３４・・・段部
３５・・・軸部
３６・・・頭部
３７・・・雄ねじ
３８・・・Ｏリング
３９・・・端面  
４０・・・溝
４１・・・指掛部
４２・・・グリップの後端部
４３・・・尻栓保持部
【図１】
2005269991.tif 000003
【図２】
2005269991.tif 000004
【図３】
2005269991.tif 000005
【図４】
2005269991.tif 000006
【図５】
2005269991.tif 000007
【図６】
2005269991.tif 000008